(57)【要約】【課題】安定した荷物の搬送を可能にする蓋体を提供する。【解決手段】本発明の蓋体４０は、下面から複数の第２下面突部５２が突出して最上段の各容器２０の上端部に受容されるので、それら容器２０内の荷物９０の跳ね上がりが抑えられ、安定した荷物９０の搬送が可能になる。また、蓋体４０の第１上面突部６１が、上側のパレット１０のうち桁部１４に囲まれた第１下面開口１６に凹凸係合して横ずれが防がれる。ここで、第１上面突部６１の上方への突出量Ｌ３は、第２下面突部５２の下方への突出量Ｌ１より小さくなっているので、仮に、第１上面突部６１がパレット１０にて上方から押されて蓋体４０の下方に突出することがあっても、その突出部分が荷物に強く押し付けられることを防ぐことができる。【選択図】図６
2018177352.tif 000002
【特許請求の範囲】
【請求項１】
パレット上に並べて段積みされる容器群の上に載置され、最上段の前記容器群の上面開口を纏めて閉塞すると共に、別のパレットが上に載置され得る蓋体であって、
その蓋体の下面から突出して前記最上段の各容器の上端部にそれぞれ受容され、それら容器内の荷物の上方への移動を規制する複数の下面突部を備える蓋体。
【請求項２】
前記蓋体の上面から突出し、上の前記パレットの桁部に囲まれた第１下面開口に凹凸係合する第１上面突部を備え、
前記蓋体の上面から上方への前記第１上面突部の突出量が、前記蓋体の下面から下方への前記下面突部の突出量より小さくなっている請求項１に記載の蓋体。
【請求項３】
前記第１上面突部と前記下面突部とが水平方向で分離している請求項２に記載の蓋体。
【請求項４】
前記蓋体の上面から突出し、上の前記パレットの四隅の第２下面開口に凹凸係合する第２上面突部を備える請求項１乃至３の何れか１の請求項に記載の蓋体。
【請求項５】
前記容器の上面開口は、四角形をなし、
前記下面突部は、前記蓋体の下面のうち各前記容器の前記上面開口に対向する各開口対向エリアのコーナー部近傍と中央部近傍とを含む複数位置に分散配置されている請求項１乃至４の何れか１の請求項に記載の蓋体。
【発明の詳細な説明】
【技術分野】
【０００１】
本発明は、パレット上に位置決めされた状態で並べられる容器群の上面開口を纏めて閉塞する蓋体に関する。
【背景技術】
【０００２】
この種の蓋体は、パレット上に段積みされた容器群の上に載置して使用される場合がある（例えば、特許文献１参照）。
【先行技術文献】
【特許文献】
【０００３】
【特許文献１】特開２０１６−７８９１７号公報（図１参照）
【発明の概要】
【発明が解決しようとする課題】
【０００４】
しかしながら、上述した使用方法で荷物を搬送すると、蓋体にて覆われている最上段の容器内の荷物が、下段側の容器内の荷物に比べて、ばらけていたり、損傷していることがあった。
【０００５】
本発明は、上記事情に鑑みてなされたもので、安定した荷物の搬送を可能にする蓋体の提供を目的とする。
【課題を解決するための手段】
【０００６】
上記目的を達成するためになされた請求項１の発明は、パレット上に並べて段積みされる容器群の上に載置され、最上段の前記容器群の上面開口を纏めて閉塞すると共に、別のパレットが上に載置され得る蓋体であって、その蓋体の下面から突出して前記最上段の各容器の上端部にそれぞれ受容され、それら容器内の荷物の上方への移動を規制する複数の下面突部を備える蓋体である。
【０００７】
請求項２の発明は、前記蓋体の上面から突出し、上の前記パレットの桁部に囲まれた第１下面開口に凹凸係合する第１上面突部を備え、前記蓋体の上面から上方への前記第１上面突部の突出量が、前記蓋体の下面から下方への前記下面突部の突出量より小さくなっている請求項１に記載の蓋体である。
【０００８】
請求項３の発明は、前記第１上面突部と前記下面突部とが水平方向で分離している請求項２に記載の蓋体である。
【０００９】
請求項４の発明は、前記蓋体の上面から突出し、上の前記パレットの四隅の第２下面開口に凹凸係合する第２上面突部を備える請求項１乃至３の何れか１の請求項に記載の蓋体である。
【００１０】
請求項５の発明は、前記容器の上面開口は、四角形をなし、前記下面突部は、前記蓋体の下面のうち各前記容器の前記上面開口に対向する各開口対向エリアのコーナー部近傍と中央部近傍とを含む複数位置に分散配置されている請求項１乃至４の何れか１の請求項に記載の蓋体である。
【発明の効果】
【００１１】
段積みされる容器は、上下段の容器の横ずれを防ぐために、下面から段積用下面突部が突出していて、上段の容器の段積用下面突部が下段の容器の上端部に受容される。これに対し、従来の蓋体は、最上段の容器の上面を覆うだけであるので、最上段の容器の荷物収容空間は、段積用下面突部を受容していない分だけ、下段側の容器の荷物収容空間に比べて広くなり、搬送中に容器内で荷物が跳ね上がる量が大きくなる。これに対し、本発明の蓋体は、下面から複数の下面突部が突出して最上段の各容器の上端部に受容されるので、それら容器内の荷物の跳ね上がりが抑えられ、安定した荷物の搬送が可能になる。
【００１２】
請求項２の蓋体の上にパレットが載置されると、蓋体の第１上面突部が、上側のパレットのうち桁部に囲まれた第１下面開口に凹凸係合して横ずれが防がれる。ここで、第１上面突部の上方への突出量は、下面突部の下方への突出量より小さくなっているので、仮に、第１上面突部がパレットにて上方から押されて蓋体の下方に突出することがあっても、その突出部分が荷物に強く押し付けられることを防ぐことができる。
【００１３】
請求項３の蓋体では、第１上面突部と下面突部とが水平方向で分離しているので、第１上面突部が上方から加圧されたときに、それに伴う下面突部の下方への移動量が抑えられて、下面突部が荷物に強く押し付けられることを防ぐことができる。
【００１４】
請求項４の蓋体の上にパレットが載置されると、蓋体の第２上面突部が、上側のパレットの四隅の第２下面開口に凹凸係合して横ずれが防がれる。ここで、蓋体の四隅の角部は他の部位に比べて強度が高く、下方から容器の角部によって支持されている。これにより、第２上面突部が上方から加圧されたときの変形が防がれる。
【００１５】
請求項５の蓋体では、下面突部が、蓋体の下面のうち各容器の上面開口に対向する開口対向エリアのコーナー部近傍と中央部近傍とを含む複数位置に分散配置されているので、効果的に荷物の跳ね上がりを抑えることができる。
【図面の簡単な説明】
【００１６】
【図１】本発明の第１実施形態に係るパレットと容器群の斜視図
【図２】パレットと容器と蓋体の斜視図
【図３】蓋体の上にパレットが載置された状態の斜視図
【図４】パレットの下面側の斜視図
【図５】容器の下面側の斜視図
【図６】容器と蓋体の側断面図
【図７】蓋体の下面側の斜視図
【図８】パレットと容器と蓋体の斜視図
【図９】容器と蓋体の側断面図
【図１０】パレット上の容器群の平面図
【図１１】パレット上の容器群の平面図
【図１２】パレットと容器と蓋体の一部破断の斜視図
【図１３】蓋体とその上のパレットとの係合状態を示す平断面図
【図１４】蓋体が変形した状態を示す側断面図
【発明を実施するための形態】
【００１７】
以下、本発明の一実施形態を図１〜図１４に基づいて説明する。図１には、パレット１０上に複数の容器２０が縦横に複数並べられて段積みされた状態が示され、その最上段の容器２０群の上に本発明に係る蓋体４０が載置された状態が図２に示され、さらに、その蓋体４０の上に別のパレット１０上が載置された状態が図３に示されている。
【００１８】
図４に示すように、パレット１０は、正方形のデッキボード１２を有し、そのデッキボード１２の下面における中心部と、四隅と、各外縁部の中央部とにそれぞれ桁部１４を備えている。そして、隣り合った桁部１４同士の下端部間が、パレット１０の縦方向又は横方向に延びる帯状の架橋壁１５によって連絡され、これにより、パレット１０の下面には、四方を架橋壁１５に囲まれた第１下面開口１６が２行２列に形成されている。なお、第１下面開口１６側に臨む各桁部１４の角部はＣ面取りされ、それらに合わせて第１下面開口１６の四隅の角部もＣ面取りされている。
【００１９】
また、パレット１０の下面の四隅には、１対ずつの第２下面開口１７，１７が備えられている。各第２下面開口１７は、桁部１４の下面の角部に沿ったＬ形の開口を、パレット１０下面の対角線に沿って延びるリブにて２分割してなる。
【００２０】
なお、隣り合った桁部１４，１４の間はフォーク挿入孔１１をなし、そのフォーク挿入孔１１が、パレット１０の縦横両方向に１対ずつ貫通している。
【００２１】
図３に示すように、デッキボード１２の上面であるデッキ面１２Ｆの各外縁部からは、位置決突条１３が上方に突出している。位置決突条１３は、デッキ面１２Ｆの各外縁部の中間部に沿って延びている。また、各位置決突条１３の両端寄り位置にはベルト受容溝１３Ｍが備えられ、それらベルト受容溝１３Ｍは、位置決突条１３の外側面の上端部からフォーク挿入孔１１の開口縁に亘って上下に延びている。
【００２２】
なお、パレット１０の下面はデッキ面１２Ｆより僅かに小さくなっている。これにより、パレット１０，１０同士を段積みして、上段側のパレット１０の下端部を、下段側のパレット１０の位置決突条１３群の内側に収めることができる。
【００２３】
図１に示すように、容器２０は、直方体状の容器本体２０Ｈの四隅の外側に支柱２６を備えた構造をなしている。容器本体２０Ｈは、平面形状が長方形で、上面が開口している。また、各支柱２６は、図５に示すように、容器本体２０Ｈと同じ高さをなしかつ、容器本体２０Ｈの長手方向に長い断面長方形の略角筒状をなしている。そして、各支柱２６の一角部に、容器本体２０Ｈの一角部が食い込んだ状態に配置されて、支柱２６の１対の側壁２６Ｓ，２６Ｓが、容器本体２０Ｈの一角部を挟んだ両側壁２１，２１に直交している。また、各支柱２６内には格子状にリブ２６Ｌが張られ、支柱２６の上面は上面壁２６Ｊ（図１参照）によって閉塞されている。
【００２４】
図５に示すように、容器本体２０Ｈの側壁２１の上端部及び下端部からは、四方に横リブ２２，２３が張り出して支柱２６，２６の間を連絡している。また、容器本体２０Ｈの短辺側の側壁２１では、それらの上端寄り位置からも横リブ２４が張り出して支柱２６，２６の間を連絡している。なお、長辺側の側壁２１の横リブ２２，２３同士、及び、短辺側の側壁２１の横リブ２２，２４同士は、複数の縦リブ２５Ａ，２５Ｂによって連結されている。また、支柱２６は、横リブ２２，２３，２４より大きく容器本体２０Ｈの側方に突出している。
【００２５】
容器２０の下面においては、容器本体２０Ｈの側壁２１より僅かに内側部分の全体から段積用下面突部２７が突出している。段積用下面突部２７は、枠形リブ２７Ｗの内側に格子形リブ２７Ｌを張り巡らせてなる。そして、図６に示すように、容器２０を段積みすると、上段の容器２０の段積用下面突部２７が、下端の容器２０の上端部に嵌合されて、上下段の容器２０の横ずれが規制される。また、上下段の容器２０の支柱２６同士が接合されて、上方からの荷重を支柱２６で受けることができる。
【００２６】
容器２０全体の長手方向の外寸と短手方向の外寸との比は、例えば、３：２になっている。そして、図１に示すように、２つの容器２０の短辺同士を向かい合わせてなる列を、３列横並びに配置して２行３列に容器２０を並べると、それら６つの容器２０群全体の外形が正方形になって、パレット１０の位置決突条１３群の内側に丁度収まる。なお、図１に示されたパレット１０上には、上述の如く２行３列に並べられた容器２０群（以下、単に「２行３列の容器２０群」又は「容器２０群」という）が４段重ねにして段積みされている。
【００２７】
さて、蓋体４０は、樹脂の真空成形品であって、図７に示すように全体が正方形をなし、主板部５０の外縁部全体から蓋側壁４４が垂下した構造をなしている。そして、前述の如く、蓋体４０は、パレット１０上の最上段の容器２０群の上に載置され、それら容器２０群の外側に蓋側壁４４が嵌合することで、蓋体４０が容器２０群に対して位置決めされる（図２参照）。
【００２８】
蓋体４０の外縁部には、容器２０群の外縁形状に対応した凹凸が備えられている。即ち、蓋体４０のうち縦横の一方で互いに対向する２辺の外縁部には、それぞれ両端寄り位置の２箇所を側方から陥没させて１対の第１側面凹部４１Ａ，４１Ａが形成され、それらの間に残された部分が側方に突出する第１側面突部４２Ａになっている。これと同様に、残り２辺の外縁部にも、１対の第２側辺凹部４１Ｂ，４１Ｂと第２側面突部４２Ｂとが形成されている。そして、第２側辺凹部４１Ｂの横幅が第１側面凹部４１Ａの横幅より大きく、その分、第２側面突部４２Ｂの横幅が第１側面突部４２Ａの横幅より小さくなっている。また、隣り合う第１と第２の側面凹部４１Ａ，４１Ｂの間に残された部分は、コーナー突部４３になっている。
【００２９】
そして、２行３列の容器２０群のうち容器２０の３つ並び方向と、蓋体４０のうち１対の第２側面突部４２Ｂ，４２Ｂの対向方向とを一致させて、容器２０群上に蓋体４０を載置すると、図２に示すように、容器２０の３つ並び方向の途中に配置されている２対計４つの支柱２６が、丁度、第１側面突部４２Ａ内に収まると共に、容器２０の２つ並び方向の途中に配置されている１対計２つの支柱２６が、丁度、第２側面突部４２Ｂ内に収まる。また、その状態に対し、蓋体４０が９０度回転すると、容器２０の３つ並び方向の中間の４つの支柱２６と、蓋体４０の第２側面凹部４１Ｂとが干渉して、蓋体４０を容器２０群に嵌合させることができなくなる。
【００３０】
これにより、２行３列の容器２０群の縦横に対して蓋体４０の縦横を正しく合わせたか否かを容易に判別することができる。以下、１対の第１側面突部４２Ａ，４２Ａの対向方向を、蓋体４０及び容器２０群の縦方向Ｈ１といい、それと直交する方向を蓋体４０及び容器２０群の横方向Ｈ２ということとする。
【００３１】
蓋体４０の主板部５０からは、上面側と下面側の両方に複数の突部が突出している。先ずは、主板部５０の下面側について説明する。
【００３２】
図７には、主板部５０から下方に突出量Ｌ１（図９参照）だけ突出する第１下面突部５１群が「灰色」に色づけして示され、主板部５０から下方に突出量Ｌ１より大きい突出量Ｌ２（図９参照）だけ突出する第２下面突部５２群（本発明の複数の「下面突部」に相当する）が「黒色」に色づけして示されている。また、図１０には、容器２０群に対する第１下面突部５１群の配置が示され、図１１には容器２０群に対する第２下面突部５２群の配置が示されている。
【００３３】
図１０に示すように、第１下面突部５１群は容器２０群の上面に分散して当接するように配置され、全ての容器２０の支柱２６の少なくとも一部に、何れかの第１下面突部５１と当接するようになっている。
【００３４】
詳細には、図７に示すように、第１下面突部５１群は、帯状突部５１Ａとコーナー突部５１Ｃと外縁中央突部５１Ｂと補完突部５１Ｄとからなる。帯状突部５１Ａは、蓋体４０の全体に亘って縦方向Ｈ１と横方向Ｈ２とにそれぞれ対をなして延びている。また、各帯状突部５１Ａは、１対の第１側面凹部４１Ａ，４１Ａの間、又は、１対の第２側面凹部４１Ｂ，４１Ｂの間をそれぞれ連絡していて、パレット１０のベルト受容溝１３Ｍの真上に位置するように配置されている（図１０参照）。そして、蓋体４０における帯状突部５１Ａの裏側がベルト受容溝４０Ｍ（図２参照）になっていて、蓋体４０の上方とパレット１０のフォーク挿入孔１１内とに通した図示しないベルトをパレット１０及び蓋体４０のベルト受容溝１３Ｍ，４０Ｍに収めて、ベルトの横ずれを防ぐことができる。なお、蓋側壁４４の外面にも、ベルト受容溝４０Ｍが形成され、それに対応して蓋側壁４４の内面には、突部４４Ａ（図７参照）が形成されている。
【００３５】
コーナー突部５１Ｃは、蓋体４０の四隅の角部近傍に配置され、縦方向Ｈ１に延びた長円形の一部が、後述する第２上面突部６２の裏側の凹部によって除去された形状をなしている。
【００３６】
外縁中央突部５１Ｂは、蓋体４０の各外縁部の中央でそれら各外縁部に沿って延びる長方形をなし、第１側面突部４２Ａ内又は第２側面突部４２Ｂ内に位置している。
【００３７】
補完突部５１Ｄは、１対の第１側面突部４２Ａ，４２Ａ内の外縁中央突部５１Ｂ，５１Ｂに対する横方向Ｈ２の両横位置と、蓋体４０の縦横の中心位置と、その中心位置に対する横方向Ｈ２の両横位置とに配置されている。なお、蓋体４０の縦横の中心の補完突部５１Ｄは、突部５１Ａより太い帯状をなして縦方向Ｈ１に延び、その両横の突部５１は、正方形をなし、残りの外縁中央突部５１Ｂは長方形になっている。
【００３８】
そして、図１０に示すように、蓋体４０の縦方向Ｈ１における両端部と中央部とで横方向Ｈ２に並ぶ外縁中央突部５１Ｂ及び補完突部５１Ｄと、コーナー突部５１Ｃ及び補完突部５１Ｄ（蓋体４０の中心の補完突部５１Ｄは除く）とが、容器２０群の支柱２６に少なくとも部分的に当接し、その他の第１下面突部５１群が容器２０の横リブ２２のみに当接する。
【００３９】
図１１に示すように、第２下面突部５２群は、蓋体４０の下面のうち２行３列の容器２０群の上面開口２０Ｋに対向する６つの開口対向エリアＲ１に分けて配置されている。また、横方向Ｈ２の中央の２つの開口対向エリアＲ１内の第２下面突部５２群のグループ（以下、「中央グループ」という）の構成は互いに共通し、残りの４つの開口対向エリアＲ１内の第２下面突部５２群のグループ（以下、「端部グループ」という）の構成も互いに共通している。また、中央グループと端部グループの第２下面突部５２群の構成は互いに異なる。さらに、第２下面突部５２群全体は、蓋体４０の縦横両方向で線対称になっている。
【００４０】
詳細には、端部グループの第２下面突部５２群は、「山」字状の第２下面突部５２Ａと、１対の「Ｌ」字状の第２下面突部５２Ｂと、「亠」字状の第２下面突部５２Ｃとからなる。そして、「山」字状の第２下面突部５２Ａの横辺が開口対向エリアＲ１の一短辺に隣接配置され、１対の「Ｌ」字状の第２下面突部５２Ｂが、開口対向エリアＲ１の他方の短辺両側の角部に配置され、「亠」字状の第２下面突部５２Ｃが開口対向エリアＲ１の長手方向の略中央で短辺方向に延びた状態に配置されている。即ち、端部グループの第２下面突部５２群が、開口対向エリアＲ１のコーナー部近傍と中央部近傍とを含む複数位置に分散配置されている。
【００４１】
一方、中央グループの第２下面突部５２群は、「Ｔ」字状の第２下面突部５２Ｄ，５２Ｅからなり、一方の「Ｔ」字状の第２下面突部５２Ｄが開口対向エリアＲ１の一短辺に隣接配置され、他方の「Ｔ」字状の第２下面突部５２Ｅが、開口対向エリアＲ１の長手方向の略中央で短辺方向に延びた状態に配置されている。また、それら「Ｔ」字状の第２下面突部５２Ｄ，５２Ｅの縦辺部分は、開口対向エリアＲ１の長手方向に延びている。さらには、他方の「Ｔ」字状の第２下面突部５２Ｅにおける縦辺部分の先端には、開口対向エリアＲ１の短手方向に延びる短辺が備えられている。即ち、中央グループの第２下面突部５２群も、開口対向エリアＲ１のコーナー部近傍と中央部近傍とを含む位置に配置されている。
【００４２】
蓋体４０の下面側の突部の構成は以上であり、上面側の突部は、以下のようになっている。図８には、蓋体４０の主板部５０から上方に突出量Ｌ３（図９参照）だけ突出する本発明に係る第１上面突部６１群が「黒色」に色づけして示されている。また、主板部５０から上方に突出量Ｌ３より大きい突出量Ｌ４だけ突出する本発明に係る第２上面突部６２群は、蓋体４０の四隅の角部のみに配置されている。さらには、図１３には、蓋体４０の上側のパレット１０に対する第１上面突部６１群と第２上面突部６２群の配置が示されている。
【００４３】
第１上面突部６１群は、蓋体４０の中央部分に２行２列に配置された計４つのメイン第１上面突部６１Ａと、それらメイン第１上面突部６１Ａ群を四方から囲むようにして、縦方向Ｈ１と横方向Ｈ２の両方向で、メイン第１上面突部６１Ａの各行及び各列の同じ並び上に配置された２つずつ計８つのサブ第１上面突部６１Ｂとからなる。
【００４４】
複数のメイン第１上面突部６１Ａは、縦方向Ｈ１又は横方向Ｈ２と平行な外側面を有する正方形をなしかつ、その正方形のうちの蓋体４０の中心側を向いた一角部はＣ面取りされている。そして、図１３に示すように、各メイン第１上面突部６１Ａが、各第１下面開口１６において、パレット１０の中心寄りの角部に配置されて、メイン第１上面突部６１Ａの１対の外側面が第１下面開口１６の１対の内側面に宛がわれると共に、メイン第１上面突部６１ＡのＣ面取り面が、パレット１０の中央の桁部１４のＣ面取り面に対向配置される。
【００４５】
また、メイン第１上面突部６１Ａ群を縦方向Ｈ１で挟む位置に配置されたサブ第１上面突部６１Ｂは、横方向Ｈ２に延びた長方形の一端部を斜めにカットした形状をなし、メイン第１上面突部６１Ａ群を横方向Ｈ２で挟む位置に配置されたサブ第１上面突部６１Ｂは、縦方向Ｈ１に延びた長方形の一端部を斜めにカットした形状をなしている。
【００４６】
さらに、図２及び図７に示すように、上記した第１上面突部６１群は水平方向で前述の第２下面突部５２群から分離した配置になっている。即ち、任意の第１上面突部６１と任意の第２下面突部５２との間には、主板部５０又は第１下面突部５１が介在している。
【００４７】
そして、図１３に示すように、各サブ第１上面突部６１Ｂの外側面が、各第１下面開口１６におけるパレット１０の中心から離れた側の内側面に宛がわれると共に、サブ第１上面突部６１ＢのＣ面取り面が、パレット１０の外縁部中央の桁部１４のＣ面取り面に対向配置される。
【００４８】
さらに、第２上面突部６２群は、断面が縦方向Ｈ１に長い長円形状をなし、蓋体４０の四隅のうち横方向Ｈ２で対向する外縁部寄りに配置されている。そして、図１２及び図１３に示すように、これら第２上面突部６２群が、蓋体４０上に載置されるパレット１０の下面の第２下面開口１７に凹凸係合する。
【００４９】
図９に示すように、第２上面突部６２の主板部５０から上方への突出量Ｌ４は、第１上面突部６１の主板部５０から上方への突出量Ｌ３の３〜５倍になっている。また、第１上面突部６１の突出量Ｌ３は、第２下面突部５２の主板部５０から下方への突出量Ｌ２より小さく、第２下面突部５２の第１下面突部５１から下方への突出量（＝Ｌ２−Ｌ１）より小さい。また、第２下面突部５２の第１下面突部５１から下方への突出量（＝Ｌ２−Ｌ１）は、容器２０における段積用下面突部２７の横リブ２３から下方への突出量Ｌ５と略同一になっている。
【００５０】
本実施形態の構成に関する説明は以上である。次に、本実施形態の作用効果について説明する。図１に示すように、パレット１０上に容器２０群を２行３列に並べることで、それら容器２０群が、丁度、パレット１０の位置決突条１３群の内側に収まって安定する。これにより、パレット１０上に容器２０群を段積みした状態にしても安定した搬送が可能になる。
【００５１】
それら容器２０群の上に図２に示すように蓋体４０を載置することで、複数の容器２０の上面開口２０Ｋを纏めて一度に閉塞することができる。即ち、各容器２０に個別に備えた蓋体を逐一装着する場合に比べて効率よく複数の容器２０の上面開口２０Ｋを閉塞することができる。また、蓋体４０の蓋側壁４４が容器２０群の外側に嵌合することで、容器２０群の横方向への移動が規制され、この点においても容器２０群が安定する。さらに、蓋体４０の上とパレット１０のフォーク挿入孔１１内へと図示しないベルトを通して締め付けることで、容器２０群をさらに安定させることができる。また、蓋体４０は、主板部５０及び蓋側壁４４に複数の凹凸を有し、それら凹凸が補強リブの役割を果たすので強度が高く、ベルトの強い締め付けにも耐え得る。
【００５２】
図３に示すように、蓋体４０の上に別のパレット１０を載置して、さらに、その上に容器２０群を段積みすることもできる。その際、図１３に示すように、蓋体４０の第１上面突部６１群が上のパレット１０の第１下面開口１６に凹凸係合すると共に、蓋体４０の第２上面突部６２群が上のパレット１０の第２下面開口１７に凹凸係合して、蓋体４０に対する上側のパレット１０の横ずれが防がれる。これにより、容器２０群を搭載したパレット１０を複数積み上げて搬送又は保管しておくことができる。
【００５３】
また、図９に示すように、第１上面突部６１の上方への突出量Ｌ３は、第２下面突部５２の下方への突出量Ｌ２より小さくなっているので、図１４に示すように、仮に、第１上面突部６１がパレット１０にて上方から押されて蓋体４０の下方に突出することがあっても、その突出部分が荷物９０に強く押し付けられることを防ぐことができる。
【００５４】
しかも、第１上面突部６１と第２下面突部５２とが水平方向で分離しているので、第１上面突部６１が上方から加圧されたときに、それに伴う第２下面突部５２の下方への移動量が抑えられて、第２下面突部５２が荷物９０に強く押し付けられることも防ぐことができる。
【００５５】
なお、蓋体４０の四隅の角部は他の部位に比べて強度が高く、しかも、下方から容器２０の角部によって支持されているので、第２上面突部６２が上方から加圧されても、その変形は防がれる。
【００５６】
図２に示すように、容器２０群は蓋体４０にて上面を覆われた状態でパレット１０ごとフォークリフトで持ち上げられてトラック等に積まれて搬送される。その搬送中にトラックが路面の段差を通過すると、容器２０内の荷物９０は、下方から突き上げられるような衝撃を受けることがある。このような場合、図６に示すように、最上段以外の各段の容器２０の荷物９０は、それらの上段側の容器２０の段積用下面突部２７によって跳ね上がりを抑えられる。これに対し、最上段の容器２０の荷物９０は、蓋体４０の第２下面突部５２群によって跳ね上がりを抑えられる。また、図１１に示すように、第２下面突部５２群は、各容器２０の上面開口２０Ｋのコーナー部近傍と中央部近傍とを含む複数位置に分散配置されているので、効果的に荷物の跳ね上がりを抑えることができる。これにより、安定した荷物９０の搬送が可能になる。
【００５７】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５８】
（１）前記実施形態の容器２０は、平面形状が四角形をなしていたが、容器は、平面形状が円形、長円形、楕円形、多角形のものであってもよい。また、容器群の全体の形状に対応して、蓋体の平面形状が、円形、長円形、楕円形、多角形になっていてもよい。
【００５９】
（２）前記実施形態の容器２０は、第１上面突部６１及び第２上面突部６２を備えていたが、何れか一方のみを備えた構成としてもよい。
【符号の説明】
【００６０】
１０    パレット
１４    桁部
１６    第１下面開口
１７    第２下面開口
２０    容器
２０Ｋ    上面開口
２７    段積用下面突部
４０    蓋体
５０    主板部
５２    第２下面突部（下面突部）
６１    第１上面突部
６２    第２上面突部
９０    荷物
【図１】
2018177352.tif 000003
【図２】
2018177352.tif 000004
【図３】
2018177352.tif 000005
【図４】
2018177352.tif 000006
【図５】
2018177352.tif 000007
【図６】
2018177352.tif 000008
【図７】
2018177352.tif 000009
【図８】
2018177352.tif 000010
【図９】
2018177352.tif 000011
【図１０】
2018177352.tif 000012
【図１１】
2018177352.tif 000013
【図１２】
2018177352.tif 000014
【図１３】
2018177352.tif 000015
【図１４】
2018177352.tif 000016